(57)【特許請求の範囲】
【請求項１】
洗浄空間を提供するタブと、
前記タブの前方に設けられ、前記洗浄空間を開閉するドアと、
前記タブの下部に設けられ、洗浄水を収容するサンプと、
前記タブから引き出し可能に設けられ、洗浄対象を収納するラックと、
前記洗浄対象に洗浄水を噴射する噴射アームと、
前記サンプと連通し、前記タブの内部に設けられ、前記サンプ内部から前記洗浄水が移動する流路を提供する供給流路と、前記供給流路の一面に設けられ、前記洗浄水を供給する供給ポートとを含むウォーターガイドと、
前記供給ポートと連通して前記洗浄水を受ける連通ホールを備えた支持ボディーと、前記支持ボディーから伸び、前記噴射アームに前記洗浄水を伝達する連結管と、前記連結管の末端に設けられ、前記噴射アームと結合する噴射アーム結合部とを含む供給部と、
一面が前記ウォーターガイドと結合し、他面が前記支持ボディーと結合する結合ボディーと、前記結合ボディーに貫設され、前記供給ポートと連通する貫通ホールとを備えた連結部材と、を含み、
前記供給部は前記支持ボディーの反対側の側面から後方に突出する少なくとも一つの挿入部をさらに含み、
前記連結部材は、前記突出する挿入部が挿入される少なくとも二つの挿入空間を形成するために、前記結合ボディーの反対側の側面から突出し、前記突出する挿入部の厚さの分だけ互いに隔てられた複数の突出部を含むことにより、前記突出する挿入部が前記挿入空間の一つに挿入されるときに前記供給部が前記ウォーターガイドに結合される、食洗機。
【請求項２】
前記突出部は、前記結合ボディーの前記反対側の側面に沿って設けられた少なくとも３対の突出部を含んで、少なくとも２対の挿入空間を形成し、
前記突出する挿入部が前記挿入空間の１つに挿入され結合されることにより、前記供給部が前記ウォーターガイドに異なる高さのいずれかで結合される、請求項１に記載の食洗機。
【請求項３】
前記突出部のそれぞれは、前方に伸びた第１支持面と、前記第１支持面の末端から前方に傾斜する傾斜面と、前記傾斜面の末端から後方に伸びた第２支持面とを含み、
前記傾斜面は、前記突出する挿入部が前記挿入空間に上方又は下方に傾いた状態で挿入されても、前記突出する挿入部が前記挿入空間の一つに挿入されるように案内する、請求項２に記載の食洗機。
【請求項４】
前記第１支持面の長さは前記第２支持面の長さより短くて前記傾斜面が上方に傾斜する、請求項３に記載の食洗機。
【請求項５】
前記第１支持面の長さは前記第２支持面の長さより長くて前記傾斜面が下方に傾斜する、請求項３に記載の食洗機。
【請求項６】
前記突出部は前記第１支持面と前記第２支持面とを互いに連結する係止面を含み、
前記突出する挿入部は上面及び下面の少なくとも一方に係止突起を含み、
前記突出する挿入部が前記挿入空間に完全に挿入されれば、前記係止突起が前記係止面に固定される、請求項３に記載の食洗機。
【請求項７】
前記突出部のそれぞれは、前方に伸びた第１支持面と、前記第１支持面の末端から前方に傾斜する傾斜面と、前記傾斜面の末端から前記結合ボディーの一面に平行になるように伸びた遮断面と、前記遮断面の末端から後方に伸びた第２支持面とを含み、
前記遮断面は、前記突出する挿入部が誤った位置に挿入される場合、前記突出する挿入部が前記挿入空間に挿入されることを防止する、請求項２に記載の食洗機。
【請求項８】
前記突出部のそれぞれは、前方に伸びた第１支持面と、前記第１支持面の末端から前方に傾斜する第１傾斜面と、前記第１傾斜面の末端から後方に傾斜する第２傾斜面と、前記第２傾斜面から後方に伸びた第２支持面とを含み、
前記第１傾斜面と前記第２傾斜面は、前記突出する挿入部が上方に又は下方に傾いた状態で挿入されるとき、前記挿入空間の一つに挿入されるように前記突出する挿入部を案内する、請求項２に記載の食洗機。
【請求項９】
前記突出する挿入部は、前記挿入空間の中の少なくとも二つの挿入空間に挿入されるように複数設けられる、請求項２に記載の食洗機。
【請求項１０】
前記突出する挿入部は、末端に高さ方向に傾斜する挿入傾斜面を含む、請求項２に記載の食洗機。
【請求項１１】
前記突出する挿入部は、末端に前記支持ボディーの中央に向かって傾斜するよう設けられた側面傾斜面を含むことにより、前記支持ボディーが前記結合ボディーに左側又は右側に傾いた状態で挿入されても、前記突出する挿入部は前記挿入空間に案内される、請求項２に記載の食洗機。
【請求項１２】
前記支持ボディーの幅は前記結合ボディーの幅より大きく、
前記少なくとも一つの突出する挿入部は、前記支持ボディーの前記反対側の側面に設けられた突出する挿入部の対を含み、
前記突出する挿入部間の間隔は前記結合ボディーの幅と一致する、請求項１１に記載の食洗機。
【請求項１３】
前記支持ボディーは、その一面に、前記連結管が左右方向に伸びるように設けられた、複数の突出した補強リブを含み、
前記補強リブは、前記支持ボディーの高さ方向に一定間隔で隔たって設けられる、請求項１２に記載の食洗機。
【請求項１４】
前記補強リブは、前記突出する挿入部の位置と対応する、前記支持ボディーの前記面の一部に設けられる、請求項１３に記載の食洗機。
【請求項１５】
前記支持ボディーと前記結合ボディーの間の隙間をシールするシーリング部材をさらに含み、
前記支持ボディー上の前記突出する挿入部の長さは前記シーリング部材の厚さより大きい、請求項２に記載の食洗機。
【請求項１６】
前記シーリング部材の高さ及び幅は前記供給ポートの高さ及び幅より大きい、請求項１５に記載の食洗機。
【請求項１７】
前記シーリング部材は前記供給部の移動方向に伸縮可能である、請求項１５に記載の食洗機。
【請求項１８】
前記結合ボディーと前記ウォーターガイドの間に設けられ、前記結合ボディーの前記貫通ホールの外周及び前記供給ポートの外周と接触して、前記結合ボディーと前記ウォーターガイドの間からの洗浄水の漏れを防止する第２シーリング部材をさらに含む、請求項２に記載の食洗機。
【請求項１９】
前記結合ボディーと前記ウォーターガイドとの間の隙間からの洗浄水の漏れを防止するために、前記連結部材は前記結合ボディーの前記貫通ホールの内周に設けられたシーリング部を含む、請求項２に記載の食洗機。
【請求項２０】
前記供給ポートは前記供給流路の一面から突出し、
前記シーリング部は、前記貫通ホールの内周に設けられたシーリングボディーと、前記シーリングボディーの内周に設けられ、前記供給ポートの直径より小さい直径を有する投入ポートとを含み、
前記シーリングボディー及び前記投入ポートは弾性部材として形成され、
前記投入ポートの形状は前記供給ポートの形状と対応することにより、前記供給ポートが前記投入ポートに挿入されるとき、前記投入ポートの内周が前記供給ポートの外周と密着して、前記供給ポートと前記結合ボディーの間からの洗浄水の漏れを防止する、請求項１９に記載の食洗機。
【請求項２１】
前記投入ポートの厚さは前記シーリングボディーの厚さより小さい、請求項２０に記載の食洗機。
【請求項２２】
前記シーリングボディーは前記結合ボディーの厚さと同一の厚さを有し、前記シーリングボディーの中央部から前記投入ポートに行くほど厚さが小さくなる傾斜部を含むことにより、前記供給ポートが前記投入ポートに挿入されることをガイドする、請求項２０に記載の食洗機。
【請求項２３】
前記シーリング部は、射出成型を介して前記結合ボディーと一体に形成される、請求項１９に記載の食洗機。
【請求項２４】
前記連結部材に設けられ、前記シーリング部材の圧縮時、前記シーリング部材の内部に洗浄水供給口が位置するように助けるガイドと、
前記支持ボディーに設けられ、前記シーリング部材の圧縮時、前記ガイドと連結される連結部と、をさらに含む、請求項１５に記載の食洗機。
【請求項２５】
前記連結部は、
前記支持ボディーから突出した第１連結部と、
前記支持ボディーから突出し、前記第１連結部から所定距離隔たって設けられた第２連結部と、
前記支持ボディーから突出し、前記第２連結部から所定距離隔たって設けられた第３連結部と、を含み、
前記ガイドは、前記第１連結部、前記第２連結部及び前記第３連結部の一つと結合する、請求項２４に記載の食洗機。
【請求項２６】
前記連結部材の主胴体を成すボディーと、
前記ボディーに設けられ、前記シーリング部材の圧縮可能な距離を制限するストッパーと、
前記支持ボディーに設けられ、前記シーリング部材の圧縮時、前記ストッパーと接触する延長面と、をさらに含む、請求項２４に記載の食洗機。
【請求項２７】
前記ストッパーは前記ボディーから前記シーリング部材の方向に突出する、請求項２６に記載の食洗機。
【請求項２８】
前記ストッパーは前記ボディーに複数設けられ、
前記複数のストッパーは前記ボディーの左右に対称に設けられる、請求項２６に記載の食洗機。
【発明の詳細な説明】
【技術分野】
【０００１】
本発明は食洗機に関するもので、より詳しくは食洗機の洗浄水を供給するウォーターガイドとウォーターガイドに締結される供給部との間の締結構造を改善した食洗機に関するものである。
【背景技術】
【０００２】
食洗機は洗浄対象に洗浄水を噴射して洗浄対象に残留する異物を除去する家電機器である。このような食洗機は、洗浄空間に洗浄対象（例えば、食器）を収納した後、洗浄水を用いて洗浄対象に残留する汚物を除去し、場合によって洗浄対象の乾燥を進めることができる。
【０００３】
このような食洗機は、噴射ノズルから噴射される高圧の洗浄水で食器の表面についている食べかすを洗浄する家電機器である。食洗機は洗浄槽が形成されるタブと、タブの底面に装着され、洗浄水を収容するサンプ（ｓｕｍｐ）などからなり、洗浄行程、すすぎ行程及び乾燥行程が順に遂行される。
【０００４】
一方、乾燥機能を備えた食洗機の場合、タブの内部に加熱空気を供給して、食器に残っている水分を除去する乾燥手段を含む。乾燥手段は、空気を加熱するヒーター及びヒーターによって加熱された空気を送風させる送風ファンなどを含むことができる。また、乾燥過程中の湿った空気の除湿はゼオライト又はヒートポンプシステムを用いて行うことが一般的である。
【０００５】
図１は一般的な食洗機の内部構成を示した概略図である。
【０００６】
図１を参照すると、従来の食洗機１は、洗浄空間を提供するタブ１０、タブ１０の前方に設けられ、洗浄空間を開閉するドア２０、タブ内に設けられ、洗浄対象を収容するラック８０、ラックに洗浄水を噴射する上部噴射アーム９１及び下部噴射アーム９２、洗浄水を収容するサンプ３０、及びサンプに収容された洗浄水を噴射アームに供給するポンプ４０を含むことが一般的である。
【０００７】
ラックは上部ラック８１と下部ラック８２からなり、上部ラック８１と下部ラック８２は支持レール（図示せず）を備えることができ、タブ１０の内周面には支持レールガイド（図示せず）を備えることができるので、上部ラック８１と下部ラック８２はタブ１０の前方に引き出されることができる。
【０００８】
サンプ３０に収容された洗浄水はポンプ４０によって排出される。排出された洗浄水は、下部ラック８２に洗浄水を伝達する下部流路６０と上部ラック８１に洗浄水を伝達するウォーターガイド７０に供給される。ウォーターガイド７０に供給された洗浄水は供給部２００を介して上部噴射アーム９１に伝達される。
【０００９】
一方、従来の食洗機１は、上部ラック８１がタブ１０の内部に相異なる高さに着脱可能に設けられるようにして、ユーザーが必要によってタブ１０の内部空間を適切に活用することができるようにした。
【００１０】
また、供給部２００も上部ラック８１の移動によってウォーターガイド７０の相異なる高さに着脱可能に設けられるようにして、上部ラック８１に収容された食器を効率的に洗浄することができるようにした。
【００１１】
図２は従来技術による食洗機１の供給部２００及びウォーターガイド７０を示す斜視図である。図２を参照すると、従来の食洗機の供給部２００は、ウォーターガイド７０に結合された連結部材３００を備えることで、供給部２００がウォーターガイド７０に着脱可能に取り付けられることができるようにした。
【００１２】
このような従来技術による供給部２００は連結部材３００に結合されることができるように挿入部２１０を備え、連結部材３００は突出する挿入部２１０が挿入可能な挿入ホール３１０を相異なる高さに複数備えることで、供給部２００がウォーターガイド７０に着脱可能に取り付けられることができるようにした。
【００１３】
一方、従来技術による食洗機１の供給部２００がウォーターガイド７０に上下に又は左右に傾いて挿入される場合、挿入ホール３１０に挿入されることができない問題点があった。
【００１４】
特に、供給部２００が上部ラック８１に結合される場合、上部ラック８１が上方又は下方に傾けば、ユーザーが供給部２００を挿入ホール３１０に円滑に挿入することができない問題点があった。このような場合、供給部２００が挿入ホール３１０に完全に挿入されても、供給部２００が挿入ホール３１０に固定できない問題点があった。
【００１５】
また、従来技術による食洗機１の供給部２００がユーザーの望まない挿入ホール３１０に挿入されることを防止することができる手段がないため、定位置に挿入されない問題点があった。
【００１６】
また、従来技術による食洗機１の供給部２００が挿入ホール３１０の定位置に挿入されることができない場合、ウォーターガイド７０と連結部材３００の間に漏水が発生し、上部噴射アーム９１に供給される洗浄水の圧力と流量が低くなって食洗機１の洗浄効率が低下する問題点があった。
【００１７】
また、従来技術による食洗機１の場合、供給部２００をウォーターガイド７０に設置するとき、供給部２００とウォーターガイド７０の間の漏水を防止するために、ゴム素材からなり、所定の弾性力を有するベローズ管状のシーリング部材（図示せず）で漏水を防止する。
【００１８】
しかし、従来技術によるシーリング部材の場合、ゴム素材から形成されたベローズ管状に形成されているため、供給部２００とウォーターガイド７０が結合されるとき、シーリング部材のベローズ管を形成するしわ間の干渉による異常騷音が発生する問題点があった。
【００１９】
また、従来技術による供給部２００の場合、上部ラック８１の装着位置によってウォーターガイド７０の結合位置が変わることができ、シーリング部材の設置状態によって供給部２００とウォーターガイド７０の間に漏水が発生することができる問題点があった。
【発明の概要】
【発明が解決しようとする課題】
【００２０】
したがって、本発明は前記のような従来技術の問題点を解決するためになされたもので、本発明の目的は、供給部が上方に又は下方に傾いた状態でウォーターガイドに近付いてもウォーターガイドに円滑に挿入可能な食洗機を提供することである。
【００２１】
また、本発明の他の目的は、供給部が左側に又は右側に傾いた状態でウォーターガイドに近付いてもウォーターガイドに円滑に挿入可能な食洗機を提供することである。
【００２２】
また、本発明の他の目的は、供給部が定位置に挿入されない場合、挿入を遮断してユーザーが定位置に挿入するように案内する食洗機を提供することである。
【００２３】
また、本発明の他の目的は、供給部がウォーターガイドに締結されれば容易に離脱しなくて安定性を向上させる食洗機を提供することである。
【００２４】
また、本発明の他の目的は、ウォーターガイドと連結部材の間の漏水を防止して洗浄効率を高める食洗機を提供することである。
【００２５】
また、本発明の他の目的は、シーリング部材の構造を改善することによって漏水防止効果が向上した食洗機を提供することである。
【００２６】
また、本発明のさらに他の目的は、シーリング部材の変形危険の減少及び騷音の減少が可能な食洗機を提供することである。
【課題を解決するための手段】
【００２７】
本発明の一態様によると、前記及びその他の目的は、洗浄空間を提供するタブと、前記タブの前方に設けられ、前記洗浄空間を開閉するドアと、前記タブの下部に設けられ、洗浄水を収容するサンプと、前記タブから引き出し可能に設けられ、洗浄対象を収納するラックと、前記洗浄対象に洗浄水を噴射する噴射アームと、前記サンプと連通し、前記タブの内部に設けられ、前記サンプ内部から前記洗浄水が移動する流路を提供する供給流路と、前記供給流路の一面に設けられ、前記洗浄水を供給する供給ポートとを含むウォーターガイドと、前記供給ポートと連通して前記洗浄水を受ける連通ホールを備えた支持ボディーと、前記支持ボディーから伸び、前記噴射アームに前記洗浄水を伝達する連結管と、前記連結管の末端に設けられ、前記噴射アームと結合する噴射アーム結合部とを含む供給部と、一面が前記ウォーターガイドと結合し、他面が前記支持ボディーと結合する結合ボディーと、前記結合ボディーに貫設され、前記供給ポートと連通する貫通ホールを備えた連結部材と、を含み、前記供給部は前記支持ボディーの反対側の側面（ｏｐｐｏｓｉｔｅ  ｓｉｄｅ  ｓｕｒｆａｃｅｓ）から後方に突出する少なくとも一つの挿入部をさらに含み、前記連結部材は、前記突出する挿入部が挿入される少なくとも二つの挿入空間を形成するために、前記結合ボディーの反対側の側面（ｏｐｐｏｓｉｔｅ  ｓｉｄｅ  ｓｕｒｆａｃｅｓ）から突出し、前記突出する挿入部の厚さの分だけ互いに隔てられた複数の突出部を含むことにより、前記突出する挿入部が前記挿入空間の一つに挿入されるときに前記供給部が前記ウォーターガイドに結合される食洗機を提供することによって達成可能である。
【００２８】
前記突出部は、前記結合ボディーの反対側の側面に沿って設けられた少なくとも３対の突出部を含んで少なくとも２対の挿入空間を形成することができ、前記突出する挿入部が前記挿入空間に挿合されることにより、前記供給部が前記ウォーターガイドの相異なる高さに結合されることができる。
【００２９】
前記突出部は、前方に伸びた第１支持面と、前記第１支持面の末端から前方に傾斜する傾斜面と、前記傾斜面の末端から後方に伸びた第２支持面とを含むことができ、前記傾斜面は、前記突出する挿入部が前記挿入空間に上方又は下方に傾いた状態で挿入されても、前記突出する挿入部が前記挿入空間に挿入されるように案内することができる。
【００３０】
前記第１支持面の長さは前記第２支持面の長さより短くて前記傾斜面が上方に傾斜することができる。
【００３１】
前記第１支持面の長さは前記第２支持面の長さより長くて前記傾斜面が下方に傾斜することができる。
【００３２】
前記突出部は前記第１支持面と前記第２支持面を連結する係止面を含むことができ、前記突出する挿入部は上面及び下面の少なくとも一方に突出する係止突起を含むことができ、前記突出する挿入部が前記挿入空間に完全に挿入されれば、前記係止突起が前記係止面に固定されることができる。
【００３３】
前記突出部は、前方に伸びた第１支持面と、前記第２支持面の末端から前方に傾斜する傾斜面と、前記傾斜面の末端から前記結合ボディーの一面に平行な方向に伸びた遮断面と、前記遮断面の末端から後方に伸びた第２支持面とを含むことができ、前記遮断面は、前記突出する挿入部が誤位置に挿入される場合、前記突出する挿入部が前記挿入空間に挿入されることを遮断することができる。
【００３４】
前記突出部は、前方に伸びた第１支持面と、前記第２支持面の末端から前方に傾斜する第１傾斜面と、前記傾斜面の末端から後方に傾斜した第２傾斜面と、前記第２傾斜面の後方に伸びた第２支持面とを含むことができ、前記第１傾斜面と前記第２傾斜面は、前記突出する挿入部が前記突出部に上方に又は下方に傾いた状態で挿入されるとき、前記複数の挿入空間のいずれか一つの挿入空間に挿入されるように案内することができる。
【００３５】
前記突出する挿入部は、前記複数の挿入空間の少なくとも二つ以上の挿入空間に挿入されるように複数で設けられることができる。
【００３６】
前記突出する挿入部は、末端に高さ方向に傾斜する挿入傾斜面を含むことができる。
【００３７】
前記突出する挿入部は、末端に前記支持部の中央側に傾斜した側面傾斜面を含むことにより、前記支持ボディーが前記結合ボディーに左側又は右側に傾いた状態で挿入されても、前記突出する挿入部を前記挿入空間に案内することができる。
【００３８】
前記支持ボディーの幅は前記結合ボディーの幅より大きく形成され、前記支持ボディーの反対側の側面に設けられた前記突出する挿入部間の間隔は前記結合ボディーの幅と一致するように形成されることができる。
【００３９】
前記支持ボディーは、その一面に、前記連結管が左右方向に伸びるように設けられた、複数の突出した補強リブを含むことができ、前記補強リブは、前記支持ボディーの高さ方向に一定間隔で隔たって設けられることができる。
【００４０】
前記補強リブは、前記支持ボディーの一面において前記突出する挿入部が設けられている位置と対応する部分に設けられることができる。
【００４１】
前記支持ボディーと前記結合ボディーの間をシールするシーリング部材をさらに含むことができ、前記突出する挿入部が前記支持ボディーから伸びた長さは前記シーリング部材の厚さより大きいことができる。
【００４２】
前記シーリング部材の高さ及び幅は前記供給ポートの高さ及び幅より大きいことができる。
【００４３】
前記シーリング部材は前記供給部の移動方向に伸縮可能であってもよい。
【００４４】
前記結合ボディーと前記ウォーターガイドの間に設けられ、前記結合ボディーの貫通ホールの外周面と前記供給ポートの外周面が接触して前記結合ボディーと前記ウォーターガイドの間の漏水を防止する第２シーリング部材をさらに含むことができる。
【００４５】
前記結合ボディーと前記ウォーターガイドとの間の隙間からの洗浄水の漏れを防止するために、前記連結部材は前記結合ボディーの前記貫通ホールの内周に設けられたシーリング部を含むことができる。
【００４６】
前記供給ポートは前記供給流路の一面から突出することができ、前記シーリング部は、前記貫通ホールの内周に設けられたシーリングボディーと、前記シーリングボディーの内周に設けられ、前記供給ポートの直径より小さい投入ポートとを含むことができ、前記シーリングボディー及び前記投入ポートは弾性部材でなることができ、前記投入ポートの形状は前記供給ポートの形状と対応することにより、前記供給ポートが前記投入ポートに挿入されるとき、前記投入ポートの内周が前記供給ポートの外周と密着して前記供給ポートと前記結合ボディーの間の漏水を防止することができる。
【００４７】
前記投入ポートの厚さは前記シーリングボディーの厚さより小さいことができる。
【００４８】
前記シーリングボディーは前記結合ボディーの厚さと同一の厚さを有し、前記シーリングボディーの中央部から前記投入ポートに行くほど厚さが小さくなる傾斜部を含むことにより、前記供給ポートが前記投入ポートに挿入されることをガイドすることができる。
【００４９】
前記シーリング部は前記結合ボディーと一体に射出されることができる。
【００５０】
前記食洗機は、前記連結部材に設けられ、前記シーリング部材の圧縮時、前記シーリング部材の内部に前記洗浄水供給口が位置するように助けるガイド、及び前記支持ボディーに設けられ、前記シーリング部材の圧縮時、前記ガイドと連結される連結部をさらに含むことができる。
【００５１】
前記連結部は、前記支持ボディーから突出した第１連結部、前記支持ボディーから突出し、前記第１連結部から所定距離で隔たって設けられた第２連結部、及び前記支持ボディーから突出し、前記第２連結部から所定距離で隔たって設けられた第３連結部を含むことができ、前記ガイドは、前記第１連結部、第２連結部及び第３連結部のいずれか一つと結合することができる。
【００５２】
前記食洗機は、前記連結部材の胴体を成すボディー、前記ボディーに設けられ、前記シーリング部材の圧縮可能な距離を制限するストッパー、及び前記支持ボディーに設けられ、前記シーリング部材の圧縮時、前記ストッパーと接触可能な延長面をさらに含むことができる。
【００５３】
前記ストッパーは前記ボディーから前記シーリング部材の方向に突出することができる。
【００５４】
前記ストッパーは前記ボディーに多数設けられることができ、前記ストッパーは前記ボディーを中心に左右に対称状に設けられることができる。
【発明の効果】
【００５５】
本発明による食洗機によると、供給部が上方に又は下方に傾いた状態でウォーターガイドに近付いてもウォーターガイドに容易に締結可能な効果がある。
【００５６】
本発明による食洗機によると、供給部が左側に又は右側に傾いた状態でウォーターガイドに近付いてもウォーターガイドに容易に締結可能な効果がある。
【００５７】
本発明による食洗機によると、供給部が定位置に挿入されない場合、挿入を遮断してユーザーが定位置に供給部を挿入するように案内する効果がある。
【００５８】
本発明による食洗機によると、供給部がウォーターガイドに結合されれば容易に離脱しないようにして安全性を高める効果がある。
【００５９】
本発明による食洗機によると、ウォーターガイドと連結部材の間の漏水を遮断して洗浄効率を高める効果がある。
【００６０】
本発明による食洗機によると、シーリング部材及びガスケットの構造を改善して漏水を防止する効果がある。
【００６１】
本発明による食洗機によると、噴射アームとウォーターガイド間の結合構造を改善することにより、噴射アームの結合がもっと容易になり、高さ調節がより容易になる効果がある。
【００６２】
本発明による食洗機によると、前後に圧縮可能なシーリング部によって騷音の発生を減らすことができる。
【００６３】
本発明による食洗機によると、シーリング部の圧縮を調節することができるようにして、シーリング部の変形の危険を低めることができる効果がある。
【００６４】
本発明による食洗機によると、噴射アームの高さ調節によって洗浄空間の活用を極大化することができる効果がある。
【図面の簡単な説明】
【００６５】
本発明の更なる理解のためにここに含まれる添付図面は本発明の実施例を示すもので、詳細な説明と一緒に本発明の原理を説明する働きをする。
【図１】一般的な食洗機の構成を示した図である。
【図２】従来技術による食洗機の供給部とウォーターガイドを連結する連結部材の構成を示した図である。
【図３】本発明の一実施例による供給部、連結部材、及びウォーターガイドの構成を示す図である。
【図４】本発明の一実施例による連結部材の突出部の実施例を示した図である。
【図５】本発明の一実施例による連結部材の突出部の実施例を示した図である。
【図６】本発明の一実施例による連結部材の突出部の実施例を示した図である。
【図７】本発明の一実施例による連結部材の突出部の実施例を示した図である。
【図８】本発明の一実施例による供給部の挿入部の形状を示した図である。
【図９】本発明の一実施例による連結部材と突出する挿入部の形状を示した図である。
【図１０】本発明の一実施例による連結部材と突出する挿入部の形状を示した図である。
【図１１】本発明の一実施例による連結部材と突出する挿入部の形状を示した図である。
【図１２】本発明の一実施例による連結部材とウォーターガイドの形状を示した図である。
【図１３】本発明の一実施例による連結部材とウォーターガイドの形状を示した図である。
【図１４】本発明の一実施例による連結部材とウォーターガイドの形状を示した図である。
【図１５】本発明の一実施例による連結部材とウォーターガイドの形状を示した図である。
【図１６】本発明の他の実施例による供給部と連結部材を拡大して示した図である。
【図１７】本発明の他の実施例による供給部と連結部材の結合状態を示した図である。
【図１８】本発明の他の実施例による供給部と連結部材の結合状態を示した図である。
【図１９】本発明の他の実施例による供給部と連結部材の他の結合状態を示した図である。
【図２０】本発明の他の実施例による供給部と連結部材の他の結合状態を示した図である。
【発明を実施するための形態】
【００６６】
以下、添付図面に基づいて本発明の好適な実施例を詳細に説明する。
【００６７】
他に定義がない限り、この明細書の全ての用語は本発明が属する技術分野の通常の技術者が理解する用語の一般的な意味と同一であり、この明細書に使用された用語がその用語の一般的な意味と衝突する場合にはこの明細書に使われた定義による。
【００６８】
一方、以下に説明する装置の構成や制御方法は単に本発明の実施例を説明するためのものであって、本発明の権利範囲を限定するためのものではなく、明細書の全般にわたって使用された同一の参照番号は同一の構成要素を示す。
【００６９】
図１を参照して本発明による食洗機の構造を以下に説明する。
【００７０】
本発明による食洗機１は、一般的に外観を成すキャビネット、洗浄空間を形成するタブ１０、タブの前方に設けられ、洗浄空間を開閉するドア２０、タブの下部に設けられ、洗浄水を収容するサンプ３０、タブから引き出し可能に設けられ、洗浄対象を収納するラック８０、洗浄対象に洗浄水を噴射する噴射アーム９０、及びサンプ３０の洗浄水を噴射アームに供給するポンプ４０を含む。
【００７１】
ラック８０は、タブの下部に設けられた下部ラック８２と下部ラック８２から隔たって設けられた上部ラック８１とを含む。噴射アームは、下部ラック８２に洗浄水を噴射する下部噴射アーム９２と上部ラック８１に洗浄水を噴射する上部噴射アーム９１とを含む。上部噴射アーム９１と下部噴射アーム９２はそれぞれ回転可能に設置され、それぞれの噴射アーム９１、９２には食器に向けて洗浄水を噴射する複数の噴射ノズル（図示せず）が設けられることができる。
【００７２】
サンプ３０は給水管３１を介して洗浄水を受けて収容することができ、配水管３２を介して洗浄水を排水することができる。また、サンプ３０の上部に設けられたサンプカバー３３は排水ホールを持ち、タブ１０に供給された洗浄水を再び収集して収容することができる。ポンプ４０は、サンプ３０に収容された洗浄水を、下部噴射アーム９２に供給する下部流路６０と洗浄水を上部噴射アーム９１に供給するウォーターガイド７０に供給する。
【００７３】
図３を参照して、ウォーターガイド７０とウォーターガイド７０に締結される部材を説明する。
【００７４】
図３（ｃ）を参照すると、ウォーターガイド７０は連結流路６０を介してサンプ３０と連通し、タブの内部に設けられ、サンプ内部の洗浄水が移動する流路を提供する供給流路７１と、供給流路７１から突出して洗浄水を排出する供給ポート７２とを含む。
【００７５】
図３Ａを参照すると、供給部４００はウォーターガイド７０に結合されて供給ポート７２と連通し、洗浄水を受けることができる。供給部４００は、供給ポート７２と連通して洗浄水を受ける連通ホール（図示せず）を備えた支持ボディー４１０と、支持ボディー４１０から噴射アームに洗浄水を伝達する連結管４２０と、連結管の末端に設けられ、噴射アーム９０と結合する噴射アーム結合部４３０とを含むことができる。
【００７６】
連結管４２０は、上部に、上部ラック８１の下部に締結可能なフック４２１が設けられることができる。これにより、供給部４００が上部ラック８１と一緒にウォーターガイド７０に結合されるようにすることができる。また、上部噴射アーム９１は噴射アーム結合部４２０に回転可能に結合されることができる（図１参照）。
【００７７】
図３Ｂを参照すると、支持ボディー４１０は、連結管４２０が設けられた側面の反対側面から突出する挿入部６００と、供給ポート７２から洗浄水を受けて連結管４２０に伝達する連通ホール（図示せず）と、連通ホール（図示せず）の外周に結合され、支持ボディー４１０がウォーターガイド７０に締結されれば支持ボディー４１０とウォーターガイド７０の間の漏水を防止するシーリング部材９００とを含むことができる。
【００７８】
シーリング部材９００は弾性部材からなることができ、中間高さに断面積の減少した２段ホースの形状を取ることができる。よって、シーリング部材９００は、支持ボディー４１０とウォーターガイド７０の間に隙間が存在しても、隙間で発生し得る漏水を防止することができる。
【００７９】
また、シーリング部材９００は支持ボディー４１０がウォーターガイド７０から一定の距離で隔たるようにすることができる。すなわち、支持ボディー４１０がウォーターガイド７０に一定の距離で隔たっていれば、連結管７２０の位置を前方及び後方に調節することができる。
【００８０】
支持ボディー４１０の反対側の側面には一対の突出する挿入部６００が設けられることができる。突出する挿入部６００は後述する突出部７００間の空間に挿入されて、供給部４００がウォーターガイド７０に結合されるようにすることができる。
【００８１】
図３（ｃ）は連結部材５００が供給ポート７２の設けられた供給流路７１上に付着していることを示す。連結部材５００は、ウォーターガイド７０の供給流路７１に一面が結合され、他面が供給部４００の支持ボディー４１０と結合する結合ボディー５１０と、結合ボディー５１０の内部に設けられ、供給ポート７２が挿通することができる貫通ホール５２０とを含むことができる。
【００８２】
結合ボディー５１０は、反対側の側面に、後方に伸びてウォーターガイド７０の供給流路７１と締結可能な締結部材５３０を含むことができる。したがって、結合ボディー５１０はウォーターガイド７０に着脱可能に設けられることができる。また、結合ボディー５１０は、反対側の側面から突出する突出部７００を含むことができる。
【００８３】
突出部７００は多角形の棒状を有することができる。突出部７００は、結合ボディー５１０の反対側の側面に沿って一定の間隔で隔たって複数設けられることができる。
【００８４】
複数の突出部７００の間の間隔は突出する挿入部６００の厚さに相当することができる。すなわち、複数の突出部７００の間の間隔は、突出する挿入部６００が挿入可能な挿入空間８００を提供することができる。よって、突出する挿入部６００は突出部７００の間に設けられた挿入空間８００に挿入されることで、供給部４００がウォーターガイド７０に着脱可能に締結されることができる。
【００８５】
挿入空間８００に突出する挿入部６００が挿入される場合、突出部７００の上下支持面は突出する挿入部６００を支持して供給部４００を支持することができる。すなわち、連結部材５００はウォーターガイド７０に結合されることにより、供給部４００がウォーターガイド７０に結合できるようにする媒体として機能することができる。
【００８６】
また、供給部４００がウォーターガイド７０に結合されると見なされるが、詳細には連結部材５００に結合されると見なすこともできる。しかし、供給部４００はウォーターガイド７０に結合されて洗浄水を受けることが目的であるので、ウォーターガイド７０に結合されると見なしても構わない。すなわち、供給部４００がウォーターガイド７０に結合されることと連結部材５００に結合されることは同じ意味を有することができる。
【００８７】
突出部７００はその間に突出する挿入部６００が挿入可能な挿入空間８００を提供することで、突出する挿入部６００が上下に傾いた状態で突出部７００の間の空間に挿入されるかあるいは左右に傾いた状態で挿入されても、容易に挿入されるようにすることができる。すなわち、挿入空間８００は突出する挿入部６００の幅と同一であるかそれより大きい幅を有する挿入ホールより広い空間を提供することができる。
【００８８】
すなわち、突出部７００の間の挿入空間８００は突出する挿入部６００に締結されて支持される３面を提供するが反対側の側面が開放しているので、突出する挿入部６００が方向を変更しながら挿入可能な自由度を提供する。突出する挿入部６００が挿入ホールに挿入される形式ではなくて突出部７００の間に設けられた挿入空間８００に差し込まれることにより、突出する挿入部６００が挿入初期に正確な位置に挿入されずに左側又は右側に偏るか傾いた状態で挿入されても、突出する挿入部６００が正確に突出部７００の間に挿入されるようにすることができる。
【００８９】
また、ウォーターガイド７０がタブ１０の内部背面に位置する場合、ユーザーがウォーターガイド７０に付着された連結部材５００を見ることができないため、ユーザーが供給部４００を連結部材５００に正確に締結することが難しいことができる。この時にも、突出部７００により、ユーザーは突出部７００の間の挿入空間８００をおおよそ推定すれば十分である。すなわち、突出する挿入部６００を突出部７００の間の挿入空間８００に接近させるだけで突出する挿入部６００が挿入空間８００に挿入できるので、挿入ホールに突出する挿入部６００を挿入することより便宜性を極大化することができる。
【００９０】
図３（ｃ）を参照すると、突出部７００は結合ボディー５１０の反対側の側面に少なくとも３対以上設けられることができる。したがって、突出部７００は突出する挿入部６００が挿入可能な挿入空間８００を少なくとも２対以上備えることができる。すなわち、突出部７００は突出する挿入部６００が挿入可能な挿入空間８００を相異なる高さに提供することができる。
【００９１】
このように、突出する挿入部６００は相異なる高さに設けられた挿入空間８００に挿入されることができ、結果的に供給部４００は連結部材５００の相異なる高さに締結されることができる。結果的に、供給部４００はウォーターガイド７０の相異なる高さに結合されることができる。したがって、ユーザーは食器のサイズ、洗浄負荷などを考慮して、必要によって供給部４００の高さを調節することができる。
【００９２】
一方、食洗機のラック８０は洗浄対象を収納してタブ１０の内部に収容され、タブ１０から引き出されることができる（図１参照）。この際、上部ラック８１は水平方向を基準にして上方に傾斜することが一般的である。これは、ユーザーが洗浄対象を上部ラック８１に収納するとき、ユーザーにもっと近い上部ラック８１の前方部に後方部よりもっと多く収納することが一般的であるからである。
【００９３】
言い換えれば、上部ラック８１の前方部に洗浄対象の荷重が集中することが一般的なので、洗浄対象の荷重が過度なときにも上部ラック８１が下方に傾かずに水平方向に配向されるようにするためである。
【００９４】
また、たとえ上部ラック８１に均等に洗浄対象が収納されているとしても、上部ラック８１が下方に傾くことを防止するために、上部ラック８１は無負荷状態で上方に傾斜する。
【００９５】
上部ラック８１は細い金属棒が組み合わせられた上部開放形のバスケット形状を取ることができる。よって、噴射アーム９０から噴射された洗浄水が上部ラック８１によって邪魔されず、上部ラック８１に収容された洗浄対象に供給されることができる。よって、前述したように、フック４２１が上部ラック８１に締結されているので、連結管４２０は動けないように上部ラック８１と一体に構成されることができる。
【００９６】
すなわち、ユーザーが上部ラック８１をタブ１０の内部に投入するかあるいは引き出すとき、供給部４００もタブ１０の内部に投入されるかあるいは引き出されることにより、ウォーターガイド７０に着脱されることができる。この際、上部ラック８１は傾斜角度が上方に押し上げられた状態から水平方向まで変わることができるので、供給部４００の傾斜も上方に押し上げられた状態から水平方向まで変わることができる。よって、供給部４００の傾斜が変わっても容易に連結部材５００に締結される必要性がある。
【００９７】
図４は突出部７００が直方体状に連結部材５００の側面から突出するものを示す図である。
【００９８】
突出部７００が直方体状に設けられれば、突出する挿入部６００は突出部７００の間の挿入空間に挿入及び締結されることができる。しかし、図４Ａを参照すると、前述したように、上部ラック８１と供給部４００が結合された状態で上部ラック８１が上方に傾いて投入される場合、突出部７００の間の挿入空間へ突出する挿入部６００の挿入が遮断されることができる。
【００９９】
したがって、供給部４００が上部ラック８１に結合されていない状態で供給部４００が自ら上方に傾いて投入される場合にも、突出部７００の間の挿入空間への突出する挿入部６００の挿入が遮断されることができる。
【０１００】
また、挿入空間８００の入口に突出する挿入部６００が正確に挿入されない場合、突出する挿入部６００の挿入が突出部７００によって遮断されることができる。すなわち、突出する挿入部６００が正確に突出部７００の間の間隔であるＧ１の範囲内にあるときに限って突出部７００の間の挿入空間に挿入されることができる。すなわち、突出する挿入部６００が挿入空間８００に挿入可能な最大範囲はＧ１であることができる。
【０１０１】
一方、供給部４００をウォーターガイド７０に結合させるために必要な過度の正確さによってユーザーに大きな不便をもたらすことができる。すなわち、突出部７００はタブ１０の内部に位置するので、ユーザーが供給部４００をウォーターガイド７０に締結するのに不便をもたらすことができる。
【０１０２】
図５は前述した問題点を解決するために突出部７００に傾斜面を備えたものを示した図である。図５Ａを参照すると、突出部７００は結合ボディー５１０の側面から前方に伸びた第１支持面７１０と、第１支持面から前方に傾斜する傾斜面７３０と、傾斜面から後方に伸びた第２支持面７２０とを含む。
【０１０３】
したがって、突出する挿入部６００が突出部７００に上方に傾いた状態で投入されても、傾斜面７３０は突出する挿入部６００をガイドすることにより、突出部７００の間に設けられた挿入空間に挿入できるようにする。また、突出する挿入部６００が突出部７００の挿入空間８００に正確に投入されなくても、傾斜面７３０は突出する挿入部６００が突出部７００の間の挿入空間８００に投入できるようにガイドすることができる。すなわち、突出する挿入部６００が突出部７００の間の挿入空間８００に正確に挿入されなくても傾斜面７３０に接触するだけで突出する挿入部６００は傾斜面７３０に沿って挿入空間８００に正確に投入されることができる。
【０１０４】
図５Ｂは、突出する挿入部６００が水平方向に突出部７６０の間に挿入される場合、突出する挿入部６００が挿入空間に投入可能な範囲Ｇ２を示した図である。図５ｂを参照すると、突出部７００に傾斜面７３０が設けられていない場合の範囲Ｇ１より、傾斜面７３０が設けられる場合に突出する挿入部６００が挿入可能な範囲Ｇ２がもっと広くなる。よって、突出する挿入部６００が挿入空間８００に挿入可能な半径がもっと大きくなるので、ユーザーの便宜性を向上させることができる。すなわち、ユーザーが突出する挿入部６００を突出部７００の間に形成された挿入空間８００の入口に正確に合わせなくても、突出する挿入部６００が挿入空間８００に円滑に投入されるようにして便宜性を向上させることができる。また、突出する挿入部６００が上方に傾いて投入される場合、水平方向に投入される場合の両方の場合において、突出する挿入部６００が傾斜面７３０に接触するだけで突出する挿入部６００は挿入空間８００に円滑に投入されることができる。
【０１０５】
図５は第１支持面７１０の長さが第２支持面７２０の長さより短くなるように設けられ、傾斜面７３０が上方に傾斜したものを示したが、第１支持面７１０の長さが第２支持面７２０の長さより長くなるように設けられて傾斜面が下方に傾斜しても構わない。
【０１０６】
また、突出部７００は傾斜面７３０が結合ボディー５１０の前方に突出するように第２支持面７２０が伸びることができる。すなわち、傾斜面７３０の一部が結合ボディー５１０の前方に突出するように構成されることができる。よって、傾斜面７３０の勾配角を減らすことができるだけでなく突出する挿入部６００を挿入空間８００にもっと容易に案内することができる。また、突出する傾斜面７３０は結合ボディー５１０と支持ボディー４１０の間に設けられたシーリング部材９００が多様な厚さを有するようにすることができる。したがって、シーリング部材９００の互換性を高めることができる。
【０１０７】
図６は傾斜面７３０が上部及び下部に設けられているものを示す図である。図６を参照すると、突出部７００は結合ボディー５１０の側面から前方に伸びた第１支持面７１０と、第１支持面から前方に傾斜した第１傾斜面７３１と、第１傾斜面７３１の末端から後方に傾斜した第２傾斜面７３２と、第２傾斜面７３２の末端から後方に水平に伸びた第２支持面７２０とを含むことができる。
【０１０８】
したがって、第１傾斜面及び第２傾斜面７３１、７３２は突出する挿入部６００が上方に又は下方に傾いて投入されても、突出する挿入部６００が挿入空間８００に円滑に挿入できるようにガイドすることができる。すなわち、突出する挿入部６００の下面が突出部７００の第２支持面７２０に定着することができるようにガイドすることができる。
【０１０９】
図７は突出部７００に遮断面が設けられているものを示す図である。傾斜面７３０は突出する挿入部６００が挿入空間８００に挿入されることをガイドする。しかし、挿入空間８００が相異なる高さに複数設けられている場合、傾斜面７３０は突出する挿入部６００が歪むかあるいは突出する挿入部６００と違う高さの挿入空間８００に挿入されるように突出する挿入部６００の挿入をガイドすることができる。これを防止するため、突出部７００は傾斜面７３０の前端に結合ボディー５１０と平行に設けられた遮断面７４０を備えることができる。
【０１１０】
図７を参照すると、突出する挿入部６００がユーザーの意図しない挿入空間８００に挿入されるか過度な傾斜角で挿入される場合、遮断面７４０は突出する挿入部６００の挿入を遮断することができる。よって、ユーザーが正確に供給部４００又は上部ラック８１を挿入するように案内することができる。
【０１１１】
突出部７００は、結合ボディー５１０から前方に伸びた第１支持面７１０と、第１支持面７１０の末端から前方に傾斜した傾斜面７３０と、傾斜面７３０の末端から結合ボディー５１０と平行に伸びた遮断面７４０と、遮断面７４０の末端から後方に伸びた第２支持面７２０とを含むことができる。
【０１１２】
傾斜面７３０と遮断面７４０は突出する挿入部６００がユーザーの意図した挿入空間８００に挿入できるようにガイドすることができる。
【０１１３】
図３〜図８を参照すると、突出部７００は、第１支持面７１０と第２支持面７２０を連結する係止面７５０を備えることができる。
【０１１４】
図８を参照すると、突出する挿入部６００は上面又は下面に少なくとも一つ以上突出した係止突起６１０を備えることができる。したがって、突出する挿入部６００が挿入空間８００に完全に挿入されれば、係止突起６１０が係止面７５０の後部に定着することで、突出する挿入部６００が挿入空間８００から離脱しないようにすることができる。また、係止面７５０の下端には、係止突起６１０が締結可能な係止凹部７５１が設けられることができる。よって、突出する挿入部６００が挿入空間８００に挿入されれば、係止面７５０の係止凹部７５１に締結固定されることができる。
【０１１５】
一方、図３〜図８には係止凹部７５１が係止面７５０の下端に設けられたものを示したが、係止凹部７５１が第１支持面７１０と第第２支持面７２０に設けられて係止突起６１０と締結されることを排除するものではない。すなわち、突出する挿入部６００が挿入空間８００に挿入されたとき、固定されて容易に離脱することができない限り、係止凹部７５１と係止突起６１０はどの位置に位置しても構わない。
【０１１６】
したがって、係止面７５０又は係止凹部７５１と係止突起６１０の相互作用により、供給部４００がユーザーの意図に反して連結部材５００から離脱することを防止することができる。また、供給部４００がラック８０に結合される場合、ラック８０内の洗浄対象の荷重が大きくても供給部４００が連結部材５００から離脱しないようにして安全性を向上させることができる。また、供給部４００がウォーターガイド７０から洗浄水を受ける場合、洗浄水が供給ポート７２から吐き出される圧力によってウォーターガイド７０から離脱しないようにすることができる。すなわち、供給部４００とウォーターガイド７０の結合を堅固にして漏水を防止するだけでなく安全性を極大化することができる。また、突出する挿入部６００は末端が傾斜した挿入傾斜面６２０を備えることができる。
【０１１７】
一方、挿入傾斜面６２０は傾斜面７３０の傾斜と対応する傾斜を備えることができる。また、挿入傾斜面６２０は一定の曲率を有するように傾斜することができる。よって、突出する挿入部６００が突出部の第２支持面７２０又は傾斜面７３０に接触する場合、挿入傾斜面６２０は突出する挿入部６００が円滑に挿入空間８００に挿入されるようにすることができる。
【０１１８】
図９は供給部４００が連結部材５００に左側又は右側に傾いた状態で投入されることを示す図である。
【０１１９】
前述したように、連結部材５００に設けられた突出部６００が形成する挿入空間８００は側面が開放した形態になっているので、突出する挿入部６００が挿入空間８００の側面に先に挿入されても反対側に位置する挿入空間８００に締結されることができる。
【０１２０】
一方、突出する挿入部６００の末端が平行な平面に形成されれば、突出部７００の表面に面接触して突出する挿入部６００が円滑に挿入されることができないこともあり得る。これを改善するため、図９に示すように、突出する挿入部の末端は水平方向に支持ボディー５１０の中心方向に沿って傾斜した側面傾斜面６３０を備えることができる。
【０１２１】
したがって、突出する挿入部６００が左側又は右側に連結部材５００に近付く場合、側面傾斜面６３０と突出部７００の側面が接触することにより、突出する挿入部６００が持続的にスライドするようにすることができる。すなわち、突出する挿入部６００が連結部材５００に左側又は右側に挿入されても、容易に挿入されることができる。
【０１２２】
一方、供給部４００が左側又は右側にかなり偏って挿入されるか過度に傾いて挿入される場合、突出する挿入部６００の側面傾斜面６３０の末端が突出部７００の一面と当接することにより、突出する挿入部６００が挿入空間８００に挿入されることを制限することができる。すなわち、供給部４００がウォーターガイド７０に締結可能な水平方向半径が小さいことができる。
【０１２３】
図１０は、前述した問題点を解決するために、支持ボディー４１０の幅を結合ボディー５１０より広く形成したものを示した図である。図１０を参照すると、支持ボディー４１０の幅が結合ボディー５１０の幅より広く設けられ、突出する挿入部６００は支持ボディー４１０の反対側の側面から突出し、支持ボディー４１０の中心方向に厚さが増加する。
【０１２４】
一方、支持ボディー４１０の反対側の側面から突出する挿入部６００の間隔は結合ボディー５１０の幅と対応することができる。すなわち、突出する挿入部６００の厚さが増加し、結合ボディー５１０が突出する挿入部６００の間隔と対応することができる。すなわち、突出する挿入部６００の側面傾斜面６３０がもっと広く設けられることができ、側面傾斜面６３０の傾斜度もより緩く設けられることができる。
【０１２５】
したがって、供給部４００が結合ボディー５１０に左側又は右側に偏った状態で挿入されるか、供給部４００が左側又は右側にかなりの傾斜で挿入される場合であっても、側面傾斜面６３０の一面と突出部７００の一面が接触することができる。すなわち、突出する挿入部６００が突出部７００の一面上で持続的にスライドすることができるので、挿入空間８００に円滑に挿入されることができる。
【０１２６】
図１１は支持ボディー４１０と連結管４２０を正面から見たものを示す図である。図１１Ｂを参照すると、支持ボディー４１０の幅は結合ボディー５１０より広く形成されている。この際、支持ボディー４１０の幅がもっと広くなることによって、たとえ供給部４００が連結部材５００に円滑に挿入されることができるとしても、強度が弱くなることができる。また、突出する挿入部６００が連結部材５００に締結される過程で、突出する挿入部６００に相当な圧力又は垂直抗力が作用することができるので、突出する挿入部６００が伸びている支持ボディー４１０の部分の強度を補強する必要がある。
【０１２７】
したがって、支持ボディー４１０は、支持ボディー４１０の一面から左右方向に突出する補強リブ４１１を備えることができる。補強リブ４１１は支持ボディー４１０の高さ方向に一定の間隔で隔たって複数設けられることができる。特に、補強リブ４１１は突出する挿入部６００が伸びている背面に集中的に設けられることが好ましい。このような方法で、支持ボディー４１０が破損する又は撓むことを防止するために、支持ボディー４１０の強度を増加させてもよい。
【０１２８】
一方、突出する挿入部６００は支持ボディー４１０の反対側の側面から突出して伸びるように設けられ、支持ボディー４１０の高さ方向に隔たって複数設けられることもできる。ここで、高さ方向に間隔を空けた突出する挿入部６００同士の間隔は、結合ボディー５１０の上で間隔を空けた挿入空間８００同士の間隔と同一又はその間隔の倍数に相当することができる。すなわち、図１１Ａに示されている支持ボディー４１の幅Ｂ１は図１０Ｂに示されている連結部材５００の幅Ａと同一に形成されるが、図１１Ｂに示されている支持ボディー４１０の幅は連結部材の幅Ａより広く形成される。すなわち、Ｂ１よりＢ２がもっと長く形成されることが好ましい。よって、多数の突出する挿入部６００が挿入空間８００に挿入されることにより、供給部４００がウォーターガイド７０又は連結部材５００に挿入される結合力を極大化することができる。
【０１２９】
図１２〜図１５はウォーターガイド７０と連結部材５００の間の漏水を防止することを示した図である。図１２を参照すると、ウォーターガイド７０は、サンプ３０と連通する供給流路７１と、供給流路７１の一面に設けられ、洗浄水を供給する供給ポート７２とを含む。ここで、供給ポート７２は供給流路７１に穿設され、供給流路７１の一面から突出して設けられる。すなわち、供給ポート７２は突出した楕円、円形又はトラック状に形成されることができる。
【０１３０】
一方、供給ポート７２はウォーターガイド７０と同一の樹脂で形成される。また、連結部材５００がウォーターガイド７０と同一の樹脂で形成される場合、たとえ連結部材５００がウォーターガイド７０に結合するとしても、供給ポート７２から流出した洗浄水は連結部材５００と供給流路７１の間で漏水することができる。
【０１３１】
ここで、連結部材５００と供給流路７１の間で漏水が発生すれば、漏水量の分だけの洗浄水が供給部４００に伝達されないため、噴射アーム９０に供給される洗浄水の水圧及び水量が減少して洗浄効率を落とすことになる。
【０１３２】
図１３を参照すると、連結部材５００と供給流路７２の間に第２シーリング部材９１０が設けられることができる。すなわち、第２シーリング部材９１０は連結部材５００と供給流路７１の間に設けられることにより、漏水を防止することができる。すなわち、第２シーリング部材９１０は供給ポート７２の外周を取り囲むとともに連結部材５００の貫通ホール５２０の外周を取り囲むことで漏水を防止することができる。
【０１３３】
ここで、第２シーリング部材９１０は支持ボディー４１０の間に設けられたシーリング部材９００より厚さが薄いことが好ましく、弾性部材からなることができる。しかし、第２シーリング部材９１０が別個に設けられれば、製造コストが上昇し、結合ボディー５１０と供給流路７１の間の間隙が必要以上に大きくなる欠点がある。
【０１３４】
図１４は結合ボディー５１０にシーリング部５４０が結合されたものを示す図である。図１４を参照すると、シーリング部５４０は、結合ボディー５１０の貫通ホール５２０の内周に設けられたシーリングボディー５４１と、シーリングボディー５４１に設けられ、貫通ホール５２０の直径より小さな投入ポート５４２とを含むことができる。投入ポート５４２の厚さはシーリングボディー５４１の厚さより小さく形成されることができる。
【０１３５】
ここで、シーリング部５４０は弾性部材でなることができ、結合ボディー５１０に一体に結合されることができる。また、シーリング部５４０は結合ボディー５１０と一体に射出成形されることができる。すなわち、結合ボディー５１０がプラスチック射出されるとき、弾性部材に設けられたシーリング部５４０が同時に射出されることができる。すなわち、結合ボディー５１０にシーリング部５４０が一体に設けられることができる。また、投入ポート５４２の直径は供給ポート７２の直径より小さく形成されることができる。
【０１３６】
図１５を参照すると、ウォーターガイド７０に連結部材５００が締結されるとき、供給ポート７２が投入ポート５４２に投入して貫通し、厚さの薄い投入ポート５４２が供給ポート７２の外周と密着することにより、供給ポート７２で発生し得る漏水を前もって防止することができる。すなわち、供給ポート７２から流出した洗浄水が結合ボディー５１０と供給流路７１の間で漏水することを完全に遮断することができる。よって、供給部４００に供給される洗浄水の圧力及び水量を維持して洗浄効率を高めることができる。
【０１３７】
シーリング部５４０は、供給ポート７２が投入ポート５４２に投入されることをガイドするために、投入ポート５４２の外周に傾斜部５４３を含むことができる。すなわち、シーリングボディー５４１の厚さが投入ポート５４２の厚さより大きいので、傾斜部５４３は次第に厚さが小さくなることができる。また、投入ポート５４２の厚さは供給ポート７２の外周と円滑に接触するように小さいことができる。すなわち、傾斜部５４３のどの厚さよりも投入ポート５４２の厚さが小さく形成されることができ、投入ポート５４２の厚さは一定にすることができる。よって、連結部材５００がウォーターガイド７０と結合されるとき、供給ポート７２の末端が傾斜部５４１に沿って投入ポート５４２に案内されることができる。その後、供給ポート７２が投入ポート５４２を貫通して結合ボディー５１０の他面から突出することになる。この際、投入ポート５４２は供給ポート７２の外周を取り囲むことによって漏水を防止することができる。
【０１３８】
以下、本発明の他の実施例による供給部４００ａ及び連結部材５００ａを添付図面に基づいて詳細に説明する。ここで、本発明の他の実施例の説明において、前述した一実施例と同一の構成については詳細な説明を省略する。
【０１３９】
図１６は本発明の他の実施例による供給部とウォーターガイドを拡大して示した図である。
【０１４０】
図１６を参照すると、供給部４００ａは噴射アーム９１とウォーターガイド７０を連結させる役目を果たし、ウォーターガイド７０に着脱可能に設けられることができる。供給部４００ａは、連結管４２０とウォーターガイド７０を連結するシーリング部材９００ａと、シーリング部材９００ａと噴射アーム９１を連結する支持ボディー４１０ａとを含み、ウォーターガイド７０には供給部４００ａが圧縮されながら結合されることができる連結部材５００ａが設けられる。
【０１４１】
シーリング部材９００ａは長さ方向に伸縮可能な素材でなり、伸長及び収縮が可能である限り、どの素材や形態であっても可能である。本発明の実施例によると、シーリング部材９００ａは伸縮ができるようにジャバラの形態を成しているが、これに限定されるものではない。
【０１４２】
図１７に示したように、本発明の一実施例によるシーリング部材９００ａはジャバラ状に形成され、最大面積の断面と最小面積の断面が交互に混合されていることが分かる。このようなジャバラ状のシーリング部材９００ａはフレキシブルであってもよい。
【０１４３】
一方、シーリング部材９００ａは最大面積の断面に相当する第１断面Ａ及び最小面積の断面に相当する第２断面Ｂでなることができる。また、第１断面Ａと第２断面Ｂは交互に混合されて設けられることができ、ジャバラ状をなす。
【０１４４】
一方、シーリング部材９００ａの第２断面Ｂに相当する端部が連結部材５００ａと接するようになる。シーリング部材９００ａが圧縮されながら連結部材５００ａに結合されるとき、連結部材５００ａと接するシーリング部材９００ａの断面が第１断面Ａのように最大面積を有することになれば、結合後の漏水の危険が最小面積を有する場合より大きくなるからである。
【０１４５】
支持ボディー４１０ａはシーリング部材９００ａと噴射アーム９１を連結する役目を果たす。また、支持ボディー４１０ａの縁部には、連結部材５００ａと結合できるように、連結部６００ａが設けられており、シーリング部材９００ａの圧縮可能な距離を制限することができる延長面６０４が設けられている。
【０１４６】
連結部材５００ａはウォーターガイド７０に設けられるもので、シーリング部材９００ａが結合される構成要素である。連結部材５００ａは、連結部材５００ａの胴体をなし、ウォーターガイド７０に結合されるボディー５３０ａと、ボディー５３０ａに設けられ、シーリング部材９００ａの圧縮可能な距離を制限することができるストッパー５２４ａと、ボディー５３０ａに設けられ、ウォーターガイド７０の洗浄水を噴射アーム９１に供給する洗浄水供給口５２０と、ボディー５３０ａに設けられ、シーリング部材９００ａの圧縮時、シーリング部材９００ａの内部に洗浄水供給口５２０が位置するように助けるガイド５２２ａと、シーリング部材９００ａが圧縮されながら連結部材５００ａに結合されるとき、洗浄水の漏水が発生しないようにするガスケット面５１０ａとからなっている。
【０１４７】
シーリング部材９００ａの断面の広さは洗浄水供給口５２０の断面の広さより大きい。すなわち、シーリング部材９００ａの断面の高さ及び幅は洗浄水供給口５２０の断面の高さ及び幅より大きい。また、シーリング部材９００ａの断面と洗浄水供給口５２０の断面は円形であってもよい。この場合、シーリング部材９００ａの断面の直径は洗浄水供給口５２０の直径より大きい。また、シーリング部材９００ａが連結部材５００ａに圧縮されながら結合されるとき、シーリング部材９００ａの断面の内部に洗浄水供給口５２０が位置する限り、シーリング部材９００ａの設置位置は自由に変動可能である。
【０１４８】
すなわち、シーリング部材９００ａは供給部４００ａの上下移動によって連結部材５００ａとの結合位置が上下に変更されることができる。具体的に、シーリング部材９００ａの高さから洗浄水供給口５２０の高さの二倍を差し引いた範囲内で高さの調節が可能である。
【０１４９】
ガスケット面５１０ａの幅はシーリング部材９００ａの断面の幅より大きいことができる。特に、洗浄水の漏水を防止する役割をするガスケット面５１０ａの高さはシーリング部材９００ａの高さを調節することができる範囲の分だけ増加することができる。
【０１５０】
シーリング部材９００ａが連結部材５００ａに圧縮されながら結合されるとき、ストッパー５２４ａによってシーリング部材９００ａは一定の長さ以上に圧縮ができない。シーリング部材９００ａの圧縮が次第に進むにつれてストッパー５２４ａは延長面６０４と接することになる。
【０１５１】
ストッパー５２４ａと延長面６０４の相互作用により、シーリング部材９００ａが過度に圧縮されることを防止することができ、シーリング部材９００ａの変形危険を防止することができる。
【０１５２】
ストッパー５２４ａは、シーリング部材９００ａが連結部材５００ａと結合されるときにシーリング部材９００ａと干渉しないように、ボディー５３０ａの縁部に沿って設けられることができる。
【０１５３】
また、シーリング部材９００ａの過度な圧縮を防止するために、ストッパー５２４ａはボディー５３０ａから所定距離だけシーリング部材９００ａの方向に突出している。
【０１５４】
また、ストッパー５２４ａは多数が設けられることができ、設置位置はシーリング部材９００ａの過度な圧縮を防止することができる限り、自由に設置が可能である。好ましくは、ボディー５３０ａを基準にして左右対称に構成されれば、シーリング部材９００ａの過度な圧縮を防止する効果がもっと大きい。
【０１５５】
ガイド５２２ａは、シーリング部材９００ａの圧縮時、シーリング部材９００ａの内部に洗浄水供給部５２０が位置するように案内する役目をする。シーリング部材９００ａが圧縮されながら連結部材５００ａに結合されるとき、ガイド５２２ａは連結部６００ａと締結される。シーリング部材９００ａの高さ調節のために、連結部６００ａは支持ボディー４１０ａに多数設けられることができる。
【０１５６】
ガイド５２２ａは、シーリング部材９００ａと干渉しないように、ボディー５３０ａの縁部に沿って設けられることができる。また、ガイド５２２ａと締結される連結部６００ａも支持ボディー４１０ａの縁部に沿って設けられることができる。
【０１５７】
ガイド５２２ａはボディー５３０ａから所定距離だけ突出し、ストッパー５２４ａよりは突出した程度が大きいことが好ましい。また、ガイド５２２ａはボディー５３０ａに多数設けられることができ、供給部４００ａが連結部材５００ａに均衡的に結合されるために、ガイド５２２ａはボディー５３０ａを基準にして左右側に同一の高さに対称を成すように設けられることが好ましい。
【０１５８】
一方、図１６に示したように、連結部６００ａは、支持ボディー４１０ａから突出する第１連結部６０１と、第１連結部６０１から所定距離だけ隔たって設けられた第２連結部６０２と、第２連結部６０２から所定距離だけ隔たって設けられた第３連結部６０３とからなる。
【０１５９】
第２連結部６０２は第１連結部６０１と第３連結部６０３の間に位置することができ、第１連結部６０１が最上側に位置する。第１連結部６０１、第２連結部６０２及び第３連結部６０３のいずれか一つにガイド５２２ａが結合されることができ、それぞれの連結部６０１、６０２、６０３によって供給部４００ａの高さが変わる。
【０１６０】
図１７及び図１８はガイド５２２ａが第２連結部６０２に連結される前と連結された後を示す図である。シーリング部材９００ａは連結部材５００ａのガスケット面５１０ａに圧縮されながら結合され、ストッパー５２４ａと延長面６０４の接触によってシーリング部材９００ａの圧縮可能な距離を制限することができる。また、シーリング部材９００ａと連結部材５００ａは洗浄水供給口５２０がシーリング部材９００ａの内部に位置する範囲内で互いに結合されることができる。
【０１６１】
図１９及び図２０はガイド５２２ａが第３連結部６０３に連結される前と連結された後を示す図である。ガイド５２２ａが第２連結部６０２に連結されたときより供給部４００ａが全体的に上側に移動したことが分かる。この場合にも、ストッパー５２４ａと延長面６０４の接触によってシーリング部材９００ａの圧縮可能な距離を制限することができ、シーリング部材９００ａと連結部材５００ａは洗浄水供給口５２０がシーリング部材９００ａの内部に位置する範囲内で互いに結合されることができる。
【０１６２】
同様に、図面に示されていないが、供給部４００ａの位置をガイド５２２ａが第２連結部６０２に連結されたときより低い位置に位置させるためには、ガイド５２２ａを第１連結部６０１と結合させれば良い。この場合にも、ストッパー５２４ａと延長面６０４の接触によってシーリング部材９００ａの圧縮可能な距離を制限することができ、シーリング部材９００ａと連結部材５００ａは洗浄水供給口５２０がシーリング部材９００ａの内部に位置する範囲内で互いに結合されることができる。
【０１６３】
このように、ガイド５２２ａを第１連結部６０１、第２連結部６０２及び第３連結部６０３のいずれか一つに結合することができるようにして供給部４００ａの高さを調節することができ、第１連結部６０１、第２連結部６０２及び第３連結部６０３にそれぞれ形成される延長面６０４にガイド５２２ａ又はストッパー５２４ａに配置されることにより、シーリング部材９００ａの圧縮程度を調節することができる。
【０１６４】
以上、好適な実施例を例示して説明したが、当業者であれば、前記実施例が本発明の理解に役立つように提供されたものであり、本発明が前述した特定の実施例に限定されないことが明らかであり、本発明の精神及び範囲から逸脱しない範疇内で本発明の多様な修正及び変形が可能であり、このような修正及び変形は本発明の観点又は範囲とは個別的に理解されてはいけない。
【０１６５】
前述したように、本発明の実現のための前記“発明を実施するための形態”に関連説明を十分に開示した。
【産業上の利用可能性】
【０１６６】
前述したように、本発明は全体的に又は部分的に食洗機に適用可能である。
【図１】
0006291084.tif 000002
【図２】
0006291084.tif 000003
【図３（ａ）】
0006291084.tif 000004
【図３（ｂ）】
0006291084.tif 000005
【図３（ｃ）】
0006291084.tif 000006
【図４（ａ）】
0006291084.tif 000007
【図４（ｂ）】
0006291084.tif 000008
【図５（ａ）】
0006291084.tif 000009
【図５（ｂ）】
0006291084.tif 000010
【図６】
0006291084.tif 000011
【図７（ａ）】
0006291084.tif 000012
【図７（ｂ）】
0006291084.tif 000013
【図８】
0006291084.tif 000014
【図９（ａ）】
0006291084.tif 000015
【図９（ｂ）】
0006291084.tif 000016
【図１０（ａ）】
0006291084.tif 000017
【図１０（ｂ）】
0006291084.tif 000018
【図１１（ａ）】
0006291084.tif 000019
【図１１（ｂ）】
0006291084.tif 000020
【図１２】
0006291084.tif 000021
【図１３】
0006291084.tif 000022
【図１４】
0006291084.tif 000023
【図１５】
0006291084.tif 000024
【図１６】
0006291084.tif 000025
【図１７】
0006291084.tif 000026
【図１８】
0006291084.tif 000027
【図１９】
0006291084.tif 000028
【図２０】
0006291084.tif 000029